(57)【要約】【課題】組み付け性に優れ、化粧パネルを取り外してメンテナンスする作業等も行いやすいコンロを提供する。【解決手段】ガスコンロ１（コンロ）は、ガスバーナ４，５，６を収容する筐体部２と、筐体部２の前部に固定される前面パネル２０（フロントパネル）と、前面パネル２０の前側に装着される化粧パネル７０と、赤外線を発する発光素子４０と、を備える。ガスコンロ１は、前面パネル２０に発光素子４０を固定する固定部３０と、化粧パネル７０において発光素子４０の前側に固定され、発光素子４０が発した赤外線を化粧パネル７０の前側へと拡散させる拡散部５０と、を備える。【選択図】図６
2020067228.tif 000002
【特許請求の範囲】
【請求項１】
ガスバーナを収容する筐体部と、
前記筐体部の前部に固定されるフロントパネルと、
前記フロントパネルの前側に装着される化粧パネルと、
赤外線を発する発光素子と、
を備えるコンロであって、
前記フロントパネルに前記発光素子を固定する固定部と、
前記化粧パネルにおいて前記発光素子の前側に固定され、前記発光素子が発した前記赤外線を前記化粧パネルの前側へと拡散させる拡散部と、
を備えるコンロ。
【請求項２】
前記固定部は、前記発光素子に俯仰角を付けた状態で固定する構造である請求項１に記載のコンロ。
【請求項３】
前記フロントパネルは、
左右に並んで一対設けられ、左右方向に長手状をなして火力調整レバーが左右にスライド可能に挿入されるスライド孔と、
前記一対のスライド孔の間に設けられ、前記発光素子を収容する収容孔と、
前記収容孔と前記一対のスライド孔の各々とを仕切る仕切り部と、を有し、
前記固定部は、前記発光素子の少なくとも一部が前記収容孔に収容された状態で前記発光素子を固定する構造である請求項１又は請求項２に記載のコンロ。
【請求項４】
前記仕切り部は、前記発光素子の少なくとも一部が前記収容孔に収容された状態で、前記発光素子から離間して位置している請求項３に記載のコンロ。
【請求項５】
前記収容孔の上下幅は、前記一対のスライド孔のうち少なくとも一方のスライド孔の上下幅よりも大きいものとされている請求項３又は請求項４に記載のコンロ。
【発明の詳細な説明】
【技術分野】
【０００１】
本発明は、コンロに関するものである。
【背景技術】
【０００２】
従来、点火操作に連動して赤外線を発することで、換気扇を作動及び作動停止させる機能を有するコンロが知られている。例えば、特許文献１に開示されるコンロでは、レバー用スライド孔１４における第１火力調節レバー１２のスライド範囲と第２火力調節レバー１３のスライド範囲との境界部に、換気扇２を作動及び作動停止させるための信号を発信する第１赤外線発光部１５が設けられている。
【先行技術文献】
【特許文献】
【０００３】
【特許文献１】特開２０１２−２４７０８９号公報
【発明の概要】
【発明が解決しようとする課題】
【０００４】
特許文献１に開示されるコンロでは、第１操作パネル８に、第１火力調節レバー１２のスライド範囲と第２火力調節レバー１３のスライド範囲との両方にわたって連続するレバー用スライド孔１４が形成され、このレバー用スライド孔１４に対して第１赤外線発光部１５を組み付ける構成となっている。このため、第１操作パネル８をコンロに組み付ける際に、スライド孔１４と第１赤外線発光部１５先端のカバー１７との位置合わせが難しく、各部の組み付けに手間がかかることが懸念される。また、第１操作パネル８を取り外してメンテナンスする作業時に、第１操作パネル８とともに第１赤外線発光部１５が取り外される場合には、第１赤外線発光部１５の電気的な接続に配慮した作業が必要とされ、メンテナンス作業を行いにくい。
【０００５】
本発明は上述した課題の少なくとも一つを解決するためになされたものであり、組み付け性に優れ、化粧パネルを取り外してメンテナンスする作業等も行いやすいコンロを提供することを目的とするものである。
【課題を解決するための手段】
【０００６】
本発明の一態様のコンロは、
ガスバーナを収容する筐体部と、
前記筐体部の前部に固定されるフロントパネルと、
前記フロントパネルの前側に装着される化粧パネルと、
赤外線を発する発光素子と、
を備えるコンロであって、
前記フロントパネルに前記発光素子を固定する固定部と、
前記化粧パネルにおいて前記発光素子の前側に固定され、前記発光素子が発した前記赤外線を前記化粧パネルの前側へと拡散させる拡散部と、
を備える。
【発明の効果】
【０００７】
上記一態様のコンロのように、拡散部が固定された化粧パネルを、発光素子が固定されたフロントパネルの前側に装着して各部を組み付ける構成であれば、組み付け性に優れ、化粧パネルを取り外してメンテナンスする作業等も行いやすくなる。
例えば、化粧パネル側で拡散部と発光素子とを一体的に固定する構成であると、拡散部と発光素子との位置関係を細かく調整しながら予め化粧パネル側に固定しておく必要があり、組み付け作業を行いにくい。しかも、化粧パネルを取り外した場合、発光素子も一体的に取り外されてしまうため、電線等の扱いを工夫しなければならない。
【図面の簡単な説明】
【０００８】
【図１】図１は、実施例１のガスコンロを概略的に示す正面図である。
【図２】図２は、実施例１のガスコンロを概略的に示す分解斜視図である。
【図３】図３は、実施例１のガスコンロと換気装置とが組み合わされたガス調理システムを概略的に例示する説明図である。
【図４】図４は、前面パネルを概略的に示す斜視図である。
【図５】図５は、ガスコンロを図１のＡ−Ａ位置で切断した断面において、発光素子及び拡散部の周辺を拡大して示す断面図である。
【図６】図６は、ガスコンロを図１のＢ−Ｂ位置で切断した断面において、発光素子及び拡散部の周辺を拡大して示す断面図である。
【図７】図７は、実施例２のガスコンロにおける発光素子及び拡散部の周辺を拡大して示す断面図である。
【発明を実施するための形態】
【０００９】
ここで、本発明の望ましい一例を示す。
固定部は、発光素子に俯仰角を付けた状態で固定する構造であってもよい。発光素子に俯角を付けた状態で固定すれば、発光素子が発する赤外線の床面等での反射が促進され、その反射によって赤外線がコンロの上方に導かれやすくなる。また、発光素子に仰角を付けた状態で固定すれば、発光素子が発する赤外線が直接又はユーザ等での反射によってコンロの上方に導かれやすくなる。よって、コンロの上方に赤外線を受信する装置（例えば、赤外線を受信して動作し得る換気扇等）が存在する場合に、この装置に対して赤外線をより確実に到達させやすくなる。
【００１０】
フロントパネルは、左右に並んで一対設けられ、左右方向に長手状をなして火力調整レバーが左右にスライド可能に挿入されるスライド孔と、一対のスライド孔の間に設けられ、発光素子を収容する収容孔と、収容孔と一対のスライド孔の各々とを仕切る仕切り部と、を有し、固定部は、発光素子の少なくとも一部が収容孔に収容された状態で発光素子を固定する構造であってもよい。この構成によれば、発光素子が一対のスライド孔の間に配されることにより、コンロの美観維持に資することができる。しかも、収容孔とスライド孔とを仕切るように仕切り部が設けられているため、火力調整レバーをスライドさせる際には、火力調整レバーが収容孔に収容された発光素子に当たることを確実に回避することができる。このため、火力調整レバーが発光素子に当たることに起因する不具合（例えば、発光素子の損傷や予期せぬ姿勢の変化等）を抑制しうる。
【００１１】
仕切り部は、発光素子の少なくとも一部が収容孔に収容された状態で、発光素子から離間して位置していてもよい。この構成によれば、仮に火力調整レバーが仕切り部に当たった場合であっても、火力調整レバーからの衝撃が仕切り部を介して発光素子に伝わり難く、火力調整レバーをスライドさせる際に、発光素子の損傷や予期せぬ姿勢の変化等を招きにくくなる。また、仕切り部と発光素子との間の隙間により発光素子の組付け誤差を吸収することができ、発光素子の収容孔への組み付けが容易となる。
【００１２】
収容孔の上下幅は、一対のスライド孔のうち少なくとも一方のスライド孔の上下幅よりも大きいものであってもよい。この構成によれば、収容孔の上下幅がスライド孔の上下幅と同等の大きさとされる場合に比して、俯仰角をより大きく付けやすくなる。俯仰角をより大きく付けることができれば、発光素子から発せられた赤外線がコンロの上方側へと、より導かれやすくなる。
【００１３】
＜実施例１＞
以下、実施例１について、図面を参照して説明する。
図１、図２のように、ガスコンロ１（コンロ）は、ガスバーナ４，５，６、ガスバーナ４，５，６を収容するコンロ本体部１Ａなどを有しており、図示しないキャビネットに組み込まれるビルトインコンロとして構成されている。
【００１４】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２において、左斜め下方、右斜め上方、右斜め下方、左斜め上方を、それぞれ、ガスコンロ１の前方、後方、右方、左方とする。
【００１５】
ガスコンロ１は、システムキッチン９０のカウンタトップ９２（図３参照）に設けられた開口に落とし込まれて設置され、図３のような外観をなしている。
【００１６】
図２のように、ガスコンロ１はコンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前部に固定される前面パネル２０（フロントパネル）と、前面パネル２０の前側に装着される化粧パネル７０と、を備える。
【００１７】
筐体部２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体部２の前面部（図示略）はフレーム状又は壁状に構成されており、これら前面部、側壁部、後壁部によって筐体部２の内部空間の前後左右を囲む構成をなし、これら前面部、側壁部、後壁部の下部には底壁部（図示略）が連結されている。筐体部２は、これらの壁部によって上部が開口した箱状形態をなしており、筐体部２の上端部には、天板３（トッププレート）が取り付けられている。
【００１８】
図１、図２のように、天板３は、板状に構成されると共にガスバーナを露出させるための開口部（貫通孔）が複数個形成された構成をなす。天板３は、カウンタトップ９２の上側に配置される。前面パネル２０は、コンロ本体部１Ａの前面部を構成する板状の壁部であり、例えば、金属材料又は樹脂材料を主体として構成されている。本構成では、前面パネル２０は、筐体部２とは別部材として構成され、筐体部２の前端部を覆うように筐体部２に対して固定されているが、前面パネル２０と筐体部２とが一体的に構成されていてもよい。
【００１９】
図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。各ガスバーナ４〜６のそれぞれには、点火する為のイグナイタ（図示略）が設けられている。
【００２０】
筐体部２の中央付近には、グリル部８が設けられている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。天板３において後端寄りの位置には、グリル庫と連通するグリル排気口９が設けられている。
【００２１】
図１のように、筐体部２の前面の右寄りには２つの点火ボタン１１、１４が、左寄りにはもう２つの点火ボタン１２、１３が設けられている。点火ボタン１１は、ガスバーナ４の点火及び消火を操作するために対応付けられた操作ボタンであり、点火ボタン１２は、ガスバーナ５の点火及び消火を操作するために対応付けられた操作ボタンであり、点火ボタン１３は、ガスバーナ６の点火及び消火を操作するために対応付けられた操作ボタンである。点火ボタン１４は、グリル部８のガスバーナ（グリルバーナ）の点火及び消火を操作するための操作ボタンである。各点火ボタン１１〜１４は、前面パネル２０の前面よりも前方へ突出して設けられ、筐体部２の内部に設けられた図示しない制御回路と接続されており、使用者が押し込み操作すると、制御回路による制御により、その操作されたボタンに対応するガスバーナの点火又は消火が行われるようになっている。
【００２２】
レバー１６Ａ，１６Ｂ，１６Ｃ，１６Ｄはそれぞれ、対応するガスバーナ４〜６又はグリル部８のグリルバーナにおける火力を調整するための火力調整レバーである。点火ボタン１２，１３の下側には、ガスコンロ１に電力を供給するための電池を収容する電池ボックス１８が設けられている。点火ボタン１１，１４の下側には、各コンロによる調理の加熱温度、加熱時間等を設定するための操作パネルを前後方向に出退可能に保持する操作ユニット１９が設けられている。
【００２３】
このガスコンロ１は、図３のように、換気扇１０６を備えた換気装置１００と組み合わされてガス調理システムを構成する。ガスコンロ１は、換気扇連動機能を有し、点火ボタン１１〜１４の操作に連動して換気扇１０６の駆動信号及び停止信号を発信する通信部９４を備えている。
【００２４】
通信部９４は、赤外線を発する赤外線ＬＥＤなどの公知の発光素子を含んで構成され、発光素子のオンオフ動作によって赤外線信号を送信し得る構成となる。通信部９４は、筐体部２の内部に設けられた制御回路からの指令に基づいて、赤外線信号を換気装置１００に向けて発信する。通信部９４と換気装置１００との間の通信方式は、発光素子から発せられる赤外光をユーザＰに当て、ユーザＰから反射する光を換気装置１００の受信部１０２が受信する方式であってもよく、発光素子から発せられる赤外光が床などに当たり、床などから反射する光を換気装置１００の受信部１０２が受信する方式であってもよい。
【００２５】
なお、通信相手となる換気装置１００は、換気扇１０６を有する公知のレンジフードとして構成されている。換気装置１００は、受信部１０２で受信した駆動信号に基づき換気扇１０６を駆動し、受信部１０２で受信した停止信号に基づき換気扇１０６を駆動停止する構成となっている。
【００２６】
次に、通信部９４（赤外線発光部）を構成する発光素子４０と拡散部５０を固定するための構成について説明する。なお、以下の説明では、図１に示す筐体部２の前面の右寄りに設けられた、点火ボタン１１，１４の操作に連動して換気扇１０６の駆動信号及び停止信号を発信する通信部９４を例として説明する。
【００２７】
図５及び図６に示すように、ガスコンロ１は、前面パネル２０に発光素子４０を固定する固定部３０と、化粧パネル７０において発光素子４０の前側に固定され、発光素子４０が発した赤外線を化粧パネル７０の前側へと拡散させる拡散部５０と、を備える。つまり、通信部９４は、ガスコンロ１において発光素子４０と拡散部５０が一の部材に対して一体的に固定される構造ではなく、発光素子４０と拡散部５０がそれぞれ前面パネル２０と化粧パネル７０に固定される構造となっている。
【００２８】
発光素子４０は、例えば砲弾型の赤外線ＬＥＤとされ、中心軸とほぼ一致する光軸Ｌ（図６参照）を有した構成となっている。発光素子４０において、信号光の拡がり（光芒）の中心軸を光軸Ｌとしている。本実施例１では、軸状の発光素子４０を用いていて、軸方向が光軸方向となっている。発光素子４０は、赤外線を出射する出射面４０Ａ側とは反対側に設けられたホルダー４１に保持されている。ホルダー４１は、発光素子４０と同軸の略角柱状をなし、後述する収容孔２３に装着される構成となっている。このホルダー４１は、上下にそれぞれ突出して収容孔２３の内面に弾性変形を伴って接触する弾性片４１Ａ，４１Ａ（図６参照）と、左右に突出して収容孔２３の孔縁に当接する鍔部４１Ｂ，４１Ｂ（図５参照）と、を有している。発光素子４０は、ホルダー４１から後方に引き出された電線４３を介して筐体部２内部の制御回路に電気的に接続されている。
【００２９】
図４及び図５に示すように、前面パネル２０は、一対のスライド孔２１Ａ，２１Ｄと、収容孔２３と、収容孔２３と一対のスライド孔２１Ａ，２１Ｄの各々とを仕切る仕切り部２６とを有している。スライド孔２１Ａ，２１Ｄは、左右に並んで一対設けられ、左右方向に長手状をなして火力調整レバー１６Ａ，１６Ｄが左右にスライド可能に挿入されるものとされる。火力調整レバー１６Ａ，１６Ｄは、それぞれ燃料供給装置８０（図２参照）に組み付けられ、左右に操作することにより燃料供給装置８０のガス供給路の開度を変化させる構成となっている。なお、火力調整レバー１６Ａ，１６Ｄの操作（左右方向の変位）に応じてガス供給路の開度を変化させる構造は、公知の様々な構造を採用することができる。以下、一対のスライド孔２１Ａ，２１Ｄのうち、右側に位置するものをスライド孔２１Ａと称し、左側に位置するものをスライド孔２１Ｄと称する。
【００３０】
図４及び図５に示すように、スライド孔２１Ａは、火力調整レバー１６Ａの可動域に亘って形成されている。スライド孔２１Ｄは、火力調整レバー１６Ｄの可動域に亘って形成されている。スライド孔２１Ｄは、スライド孔２１Ａより大きい幅寸法を有し、グリル部８の上下のバーナごとに上下に分割された火力調整レバー１６Ｄが一括して挿入される構成となっている。具体的には、上下方向において、スライド孔２１Ａの上縁とスライド孔２１Ｄの上縁の位置が同等であり、スライド孔２１Ａの下縁よりスライド孔２１Ｄの下縁の方が下方に位置している。これらスライド孔２１Ａ，２１Ｄと連通する形で、化粧パネル７０には火力調整レバー１６Ａ，１６Ｄが挿入される化粧パネル側スライド孔７１Ａ，７１Ｄが形成されている。
【００３１】
図４に示すように、収容孔２３は、発光素子４０を収容するものとされ、一対のスライド孔２１Ａ，２１Ｄの間に設けられている。このような配置構成により、ガスコンロ１の外観において、通信部９４（拡散部５０）が化粧パネル側スライド孔７１Ａ，７１Ｄの境界に収まり、全体として調和のとれたすっきりとしたデザインとなっている。収容孔２３は、前面パネル２０を前後に貫通する形で、一対のスライド孔２１Ａ，２１Ｄの間において一対のスライド孔２１Ａ，２１Ｄから独立した内部空間を有している。収容孔２３は、正面視矩形状をなし、左右幅に比して上下幅が大きい構成となっている。この収容孔２３の上下幅は、発光素子４０に所定の俯角を付けて収容できるように、発光素子４０の径より大きく設定されている。収容孔２３の上下幅は、一対のスライド孔２１Ａ，２１Ｄのうちスライド孔２１Ａの上下幅よりも大きいものとされている。具体的には、上下方向において、収容孔２３の下縁とスライド孔２１Ａの下縁の位置が同等であり、収容孔２３の上縁がスライド孔２１Ａの上縁より上方に位置している。収容孔２３の内周面には、前方に向かうにつれて下降する面を有する溝２４（図６参照）が形成されている。
【００３２】
図４に示すように、仕切り部２６，２６は、上下方向かつ前後方向に沿う形で設けられた壁状をなし、互いに対向する形で収容孔２３の内面における左側の面及び左側の面を構成する。また、仕切り部２６，２６は、一対のスライド孔２１Ａ，２１Ｄの内面における収容孔２３側の面をそれぞれ構成する。仕切り部２６，２６は、挿入された火力調整レバー１６Ａ，１６Ｄが収容孔２３側に向けて過度にスライドすることを規制する規制部としての機能も有している。
【００３３】
図５及び図６に示すように、固定部３０は、前面パネル２０に対して発光素子４０を固定するための構造を有している。本実施例１では、固定部３０は、発光素子４０を保持するホルダー４１が収容孔２３に嵌ってホルダー４１の位置が収容孔２３に対して規定されることにより、発光素子４０を固定する構造となっている。固定部３０は、発光素子４０の少なくとも一部が収容孔２３に収容された状態で発光素子４０を固定する構造である。なお、固定部３０が前面パネル２０に対して発光素子４０を固定する構造はこれに限られず、例えば、固定部は発光素子４０が実装された回路基板を前面パネル２０に対して組み付けることにより、発光素子４０を固定する構造等であってもよい。
【００３４】
図６に示すように、固定部３０は、発光素子４０に俯仰角を付けた状態で固定する構造である。言い換えれば、固定部３０は、発光素子４０の光軸Ｌが水平方向に対して傾いた状態で固定するものとされる。発光素子４０をこのような姿勢とすることにより、発光素子４０から出射された赤外線を水平方向に対して斜め下方又は上方に向けて進行させることができる。具体的には、発光素子４０は、ホルダー４１が収容孔２３の溝２４に嵌まり合うことにより、収容孔２３内において光軸Ｌが傾いた姿勢に保持されている。本実施例１では、固定部３０は、発光素子４０に俯角を付けた状態、つまり、発光素子４０の光軸Ｌ（軸方向）が前方に向けて下降するように傾いた状態で固定するものを例示する。
【００３５】
拡散部５０は、化粧パネル７０と一体的に設けられている。具体的には、化粧パネル７０において、拡散部５０以外を構成する板状の本体には、収容孔２３から外部に通じる連通孔７３が形成されており、拡散部５０は、連通孔７３を塞ぐようにして本体に固定されている。拡散部５０は、光透過性を有する暗色の合成樹脂材料からなり、拡散部５０を介して外部から発光素子４０や固定部３０等が視認されにくい構成となっている。
【００３６】
拡散部５０は、正面視矩形の平板状をなし、発光素子４０の前側において発光素子４０から離間した位置に固定されている。拡散部５０は、後面における発光素子４０の出射面４０Ａと対向する位置に左右に延びる形の突部５１を有している。拡散部５０は、発光素子４０から発せられた赤外線の一部を、突部５１の表面で屈折させて、上下方向に拡散しつつ透過するものとされる。
【００３７】
続いて、筐体部２に対する前面パネル２０と化粧パネル７０の組み付け手順の一例について説明する。
まず、作業者は、前面パネル２０の後方から、ホルダー４１に保持された発光素子４０を収容孔２３に挿入する。ホルダー４１が収容孔２３に挿入されると、弾性片４１Ａ，４１Ａが弾性変形を伴って収容孔２３内に接触するとともに鍔部４１Ｂ，４１Ｂが収容孔２３の孔縁に当接した状態となる。また、ホルダー４１は収容孔２３の溝２４に嵌り合う。すると、発光素子４０の姿勢及び位置が収容孔２３内において規定され、発光素子４０が前面パネル２０に固定された状態となる。なお、発光素子４０は、前面パネル２０に固定される前に、筐体部２の内部の制御回路と接続されていてもよく、前面パネル２０に固定された後に、制御回路と接続されてもよい。
【００３８】
次に、作業者は、火力調整レバー１６Ａ，１６Ｄをスライド孔２１Ａ，２１Ｄに挿入しつつ、前面パネル２０を筐体部２における前部の所定位置に配置する。その後、所定位置に配された前面パネル２０を、ネジ等の締結手段を用いて筐体部２の前部に固定する。
【００３９】
さらに、作業者は、火力調整レバー１６Ａ，１６Ｄを化粧パネル側スライド孔７１Ａ，７１Ｄに挿入しつつ、図示しない取り付け手段を介して化粧パネル７０を前面パネル２０の前側に装着する。この際、発光素子４０が前面パネル２０に固定され、拡散部５０が化粧パネル７０に固定されているから、作業者から見えにくい化粧パネル７０の裏側で、拡散部５０と発光素子４０の位置を調整しながら、化粧パネル７０を前面パネル２０に装着するという煩雑な作業が必要とされない。以上により、筐体部２に対する各部の組み付けが完了する。
【００４０】
メンテナンス作業等において、化粧パネル７０を前面パネル２０から取り外す場合には、作業者は、上述の取り付け手段による取り付け状態を解除して、化粧パネル７０を前面パネル２０から前方に引き離す。すると、化粧パネル７０に固定された拡散部５０が発光素子４０から分離されるとともに、発光素子４０が固定部３０により前面パネル２０に固定された状態に維持される。仮に、化粧パネル７０側で拡散部と発光素子とを一体的に固定する構造では、化粧パネル７０の取り外しに伴って発光素子が前面パネル２０から前方に引き出され、前面パネル２０の裏側で制御回路と接続された発光素子の取り扱いに苦慮することとなる。一方、本実施例１では、発光素子４０と制御回路の接続を維持したまま、化粧パネル７０のみを前面パネル２０から取り外し、メンテナンス作業を行うことができる。
【００４１】
次に、本構成の効果を例示する。
上述したガスコンロ１のように、拡散部５０が固定された化粧パネル７０を、発光素子４０が固定された前面パネル２０の前側に装着して各部を組み付ける構成であれば、組み付け性に優れ、化粧パネル７０を取り外してメンテナンスする作業等も行いやすくなる。例えば、化粧パネル側で拡散部と発光素子とを一体的に固定する構成であると、拡散部と発光素子との位置関係を細かく調整しながら予め化粧パネル側に固定しておく必要があり、組み付け作業を行いにくい。しかも、化粧パネルを取り外した場合、発光素子も一体的に取り外されてしまうため、電線等の扱いを工夫しなければならない。
【００４２】
ところで、「コンロ」においては、デザインが共通で換気扇連動機能を有する仕様のものと、換気扇連動機能を有しない仕様のものを製造したいという要請がある。換気扇連動機能を有する仕様のコンロを製造する場合において、前面パネルが一対のスライド孔２１Ａ，２１Ｄと収容孔２３に相当するような一連のスライド孔を有する構成、つまり、スライド孔自体が発光素子を固定する固定部となる構成を比較例として、本実施例１の有利な効果を説明する。比較例のようなコンロでは、換気扇連動機能を有する仕様の前面パネルを、換気扇連動機能を有しない仕様のものに転用する場合、一対の火力調整レバーの可動域を仕切るための構造物となる発光素子が存在せず、コンロの美観という観点で好ましくない。このため、換気扇連動機能を有しない仕様のものでは、スライド孔における発光素子を固定する部位が閉じた前面パネルを用いる等、仕様毎に専用の前面パネルが必要となる。一方、本実施例１では、前面パネル２０において、一対のスライド孔２１Ａ，２１Ｄとは別に固定部３０を設けることにより、換気扇連動機能を有する仕様のものと、有しない仕様のものとで、前面パネル２０を共通化しやすくなっている。特に、本実施例１では、前面パネル２０が一対のスライド孔２１Ａ，２１Ｄと収容孔２３を仕切る仕切り部２６を有しているから、発光素子４０を収容孔２３に収容しない構成においても、仕切り部２６，２６が一対のスライド孔２１Ａ，２１Ｄを仕切るための構造物となり、コンロの美観が損なわれにくい。この結果、本実施例１では、換気扇連動機能を有する仕様に用いる前面パネルを、換気扇連動機能を有しない仕様のものに転用しやすく、部品共通化によりコスト削減に寄与することができる。
【００４３】
固定部３０は、発光素子４０に俯角を付けた状態で固定する構造である。発光素子４０に俯角を付けた状態で固定すれば、発光素子４０が発する赤外線の床面等での反射が促進され、その反射によって赤外線がガスコンロ１の上方に導かれやすくなる。例えば、発光素子４０が光軸Ｌを水平方向に一致させた状態で固定された構造では、発光素子４０から前方に向けて進行する赤外線は、ガスコンロの前に立つユーザＰや部屋の壁面で反射して、その大部分が水平方向に沿って後方に向けて進行することとなる。このような構成では、ガスコンロ１の上方に位置する換気装置１００の受信部１０２に対して赤外線を到達させにくい。一方、本実施例１のように、俯角を付けた状態で固定する構造では、発光素子４０から前方かつ下方に向けて進行する赤外線は、ガスコンロの前に立つユーザＰや、部屋の床面ないし壁面で反射して、その大部分が後方かつ上方に向けて進行することとなる。よって、ガスコンロ１の上方に位置する換気装置１００の受信部１０２に対して赤外線をより確実に到達させやすくなる。
【００４４】
上述の構成によれば、発光素子４０が一対のスライド孔２１Ａ，２１Ｄの間に配されることにより、ガスコンロ１の美観維持に資することができる。しかも、収容孔２３とスライド孔２１Ａ，２１Ｄとを仕切るように仕切り部２６が設けられているため、火力調整レバー１６Ａ，１６Ｄをスライドさせる際には、火力調整レバー１６Ａ，１６Ｄが収容孔２３に収容された発光素子４０に当たることを確実に回避することができる。このため、火力調整レバー１６Ａ，１６Ｄが発光素子４０に当たることに起因する不具合（例えば、発光素子４０の損傷や予期せぬ姿勢の変化等）を抑制しうる。
【００４５】
収容孔２３の上下幅は、スライド孔２１の上下幅よりも大きいものとされている。この構成によれば、収容孔２３の上下幅がスライド孔２１の上下幅と同等の大きさとされる場合に比して、俯角をより大きく付けやすくなる。俯角をより大きく付けることができれば、発光素子４０から発せられた赤外線がガスコンロ１の上方側へと、より導かれやすくなる。
【００４６】
＜実施例２＞
次に、図７等を参照し、実施例２に係るガスコンロ２０１について説明する。実施例２で示すガスコンロ２０１は、通信部２９４における仕切り部２２６と発光素子２４０の配置構成が実施例１の通信部９４における仕切り部２６と発光素子４０の配置構成と異なるだけであり、それ以外は、実施例１のガスコンロ１と同様である。よって、図７で示す実施例２のガスコンロ２０１において実施例１のガスコンロ１と同様の部分については、同一の符号を付し、詳細な説明は省略する。
【００４７】
仕切り部２２６，２２６は、発光素子２４０の少なくとも一部が収容孔２３に収容された状態で、発光素子２４０から離間して位置している。具体的には、収容孔２３は、左右幅が発光素子２４０の径より大きく、左右に隙間を有して発光素子２４０を収容可能となっている。また、収容孔２３は、上下幅も発光素子２４０の径より大きくなっており、全周に亘って発光素子２４０との間に隙間を有して発光素子２４０を収容可能となっている。なお、仕切り部２２６は、発光素子２４０と接触しない点を除いて、実施例１の仕切り部２６と同様の構成とされており、その説明を省略する。
【００４８】
仕切り部２２６と発光素子２４０の配置構成の構成によれば、仮に火力調整レバー１６Ａ，１６Ｄが仕切り部２２６，２２６に当たった場合であっても、火力調整レバー１６Ａ，１６Ｄからの衝撃が仕切り部２２６，２２６を介して発光素子２４０に伝わり難く、火力調整レバー１６Ａ，１６Ｄをスライドさせる際に、発光素子２４０の損傷や予期せぬ姿勢の変化等を招きにくくなる。また、仕切り部２２６と発光素子２４０との間の隙間により発光素子２４０の組付け誤差を吸収することができ、発光素子２４０の収容孔２３への組み付けが容易となる。
【００４９】
＜他の実施例＞
本発明は上記記述及び図面によって説明した実施例に限定されるものではなく、例えば次のような例も本発明の技術的範囲に含まれる。
【００５０】
上述した実施例では、固定部３０が発光素子４０に俯角を付けた状態で固定する構造を例示したが、固定部は、発光素子に俯角を付けた状態で固定する構造であってもよい。発光素子に仰角を付けた状態で固定すれば、発光素子が発する赤外線が直接又はユーザＰ等での反射によってガスコンロ１の上方に導かれやすくなる。また、それ以外にも、固定部が発光素子を固定する姿勢等は適宜変更可能である。
【００５１】
上述した実施例以外にも、固定部が前面パネルに発光素子を固定する位置、固定に係る具体的な構造等は適宜変更可能である。また、上述した実施例以外にも、発光素子が収容孔に収容される姿勢、収容孔の寸法等は適宜変更可能である。
【００５２】
上述した実施例のガスコンロ１，２０１はビルトインコンロであるが、テーブルコンロ等であってもよい。
【符号の説明】
【００５３】
１，２０１…ガスコンロ（コンロ）
２…筐体部
４，５，６…ガスバーナ
２０…前面パネル（フロントパネル）
２１Ａ…スライド孔（一方のスライド孔）
２１Ｄ…スライド孔
２３…収容孔
２６，２２６…仕切り部
３０…固定部
４０，２４０…発光素子
５０…拡散部
７０…化粧パネル
【図１】
2020067228.tif 000003
【図２】
2020067228.tif 000004
【図３】
2020067228.tif 000005
【図４】
2020067228.tif 000006
【図５】
2020067228.tif 000007
【図６】
2020067228.tif 000008
【図７】
2020067228.tif 000009